(57)【要約】【課題】本発明は茶葉パッケージを開示した。【解決手段】茶葉ボックスを含み、前記茶葉ボックスの右端面には機能ブロックが固定的に設置され、前記機能ブロックの中には機能溝が設置され、前記機能溝の中には開口機構と乾燥機構とが設置され、前記開口機構は前記茶葉ボックスの中に位置しており、かつ右端壁が前記機能溝と連通している磁性溝を含み、本発明装置は構造が簡単であり、基本的な茶葉保存機能を満たすと同時に、自動的に茶葉の水分を吸い、茶葉が水分で変質することを避け、賞味期限を延ばし、また茶葉を入れるときに茶葉を選別でき、砕屑と埃とを除去し、茶葉の質を保証する。【選択図】図１
2020175945.tif 000002
【特許請求の範囲】
【請求項１】
茶葉ボックスを含み、前記茶葉ボックスの右端面には機能ブロックが固定的に設置され、前記機能ブロックの中には機能溝が設置され、前記機能溝の中には開口機構と乾燥機構とが設置され、前記開口機構は前記茶葉ボックスの中に位置しており、かつ右端壁が前記機能溝と連通している磁性溝を含み、前記磁性溝の中の上下端壁には方形磁石が固定的に設置され、前記磁性溝の中には移動磁石がスライドできるように設置され、前記移動磁石の右端面には右端が前記機能溝の中に位置している縦ブロックが固定的に設置され、前記縦ブロックの右端には縦ロッドが固定的に設置され、前記縦ロッドの右端面には右端が外部に位置している調節ロッドが固定的に設置され、前記縦ロッドの左端面にはショートラックと支持ロッドとが固定的に設置され、前記機能溝の後端壁には回転軸が回転できるように設置され、前記回転軸にはリールと回転歯車とが固定的に設置され、前記回転歯車と前記ショートラックとが噛合し伝動され、前記支持ロッドの左端には揺動ロッドが回転できるように設置され、前記支持ロッドと前記揺動ロッドとの間にはトーションばねが設置され、前記揺動ロッドの右端面にはロングラックが固定的に設置され、前記乾燥機構は前記磁性溝の下端壁の中に位置している移動溝を含み、前記移動溝の左端壁には吸水溝が設置され、前記移動溝の中にはネジ山ブロックがスライドできるように設置され、前記ネジ山ブロックの前端面の中にはネジ山ロッドがネジ山により係合され、前記ネジ山ロッドの中には三つの吸水ブロックが均一に植設され、前記移動溝の左端壁には三つの台形溝が設置され、前記ネジ山ブロックの左端面には圧力溝が設置され、前記圧力溝の右端壁には圧力ばねが固定的に設置され、前記圧力ばねの左端には左端が最後側の前記台形溝の中に位置している台形ブロックが固定的に設置され、前記ネジ山ブロックの右端面には右端が外部に位置しているＴ型ロッドが固定的に設置され、前記機能溝の右端壁には外部に連通している曲がり溝が設置され、前記Ｔ型ロッドが前記曲がり溝を貫通しており、前記曲がり溝の下端壁の中には三つの伸び出し溝が設置され、前記伸び出し溝の中には上端が前記曲がり溝の中に位置しているショートロッドがスライドできるように設置され、前記伸び出し溝の左端壁には伸び出しばねが固定的に設置され、前記伸び出しばねの右端には前記伸び出し溝とスライドできるように連結される斜面ブロックが固定的に設置され、また、前に前記Ｔ型ロッドを押すと、前記ロングラックを押して回転させることができ、前記ロングラックを斜めさせることを特徴とする茶葉パッケージ。
【請求項２】
前記乾燥機構はまた前記茶葉ボックスの中に位置している保存溝を含み、前記保存溝の右端壁と前記吸水溝とが連通しており、前記保存溝の中にはフィルタが固定的に設置され、前記機能溝の後端壁の中には従動軸が回転できるように設置され、前記機能溝の後端壁と前記従動軸との間には回転ばねが設置され、前記機能溝の中において従動軸には方形ロッドと従動歯車とが固定的に設置され、前記方形ロッドの下端には仕切板が固定的に設置され、また、前記ロングラックが下がると前記従動歯車と噛合でき、仕切板を回転連動させることを特徴とする請求項１に記載の茶葉パッケージ。
【請求項３】
前記開口機構はまた前記機能溝の後端壁と回転できるように連結される連動軸を含み、前記連動軸と前記機能溝の後端壁との間には弾性バネが設置され、前記機能溝の中において連動軸には力受けブロックと糸巻き輪が固定的に設置され、前記力受けブロックの上端面には閉じ板が固定的に設置され、前記糸巻き輪と前記リールとがロープにより連結され、また、前記リールが回転し、前記ロープにより前記糸巻き輪を回転連動させることができることを特徴とする請求項１に記載の茶葉パッケージ。
【発明の詳細な説明】
【技術分野】
【０００１】
本発明は包装分野を取り上げて、具体的には茶葉パッケージである。
【背景技術】
【０００２】
茶葉は水に漬けられる植物の葉であり、茶葉の保存は、乾燥、密封、冷たい及び遮光する必要があり、既存の茶葉パッケージは鉄製であり、きつく密封するため、取ることが不便であり、大きな力で開けると茶葉がこぼれおちる可能性があり、茶葉の乾燥に関しては良い方法がない。
【先行技術文献】
【特許文献】
【０００３】
【特許文献１】中国特許出願公開第１０８３７２９６８号明細書
【発明の概要】
【発明が解決しようとする課題】
【０００４】
本発明の目的は茶葉パッケージを提供し、それは上記の現在の技術中の問題を解決できる。
【課題を解決するための手段】
【０００５】
上記の課題を解決するため、本発明は以下の技術プランを採用する：茶葉パッケージは、茶葉ボックスを含み、前記茶葉ボックスの右端面には機能ブロックが固定的に設置され、前記機能ブロックの中には機能溝が設置され、前記機能溝の中には開口機構と乾燥機構とが設置され、前記開口機構は前記茶葉ボックスの中に位置しており、かつ右端壁が前記機能溝と連通している磁性溝を含み、前記磁性溝の中の上下端壁には方形磁石が固定的に設置され、前記磁性溝の中には移動磁石がスライドできるように設置され、前記移動磁石の右端面には右端が前記機能溝の中に位置している縦ブロックが固定的に設置され、前記縦ブロックの右端には縦ロッドが固定的に設置され、前記縦ロッドの右端面には右端が外部に位置している調節ロッドが固定的に設置され、前記縦ロッドの左端面にはショートラックと支持ロッドとが固定的に設置され、前記機能溝の後端壁には回転軸が回転できるように設置され、前記回転軸にはリールと回転歯車とが固定的に設置され、前記回転歯車と前記ショートラックとが噛合し伝動され、前記支持ロッドの左端には揺動ロッドが回転できるように設置され、前記支持ロッドと前記揺動ロッドとの間にはトーションばねが設置され、前記揺動ロッドの右端面にはロングラックが固定的に設置され、前記乾燥機構は前記磁性溝の下端壁の中に位置している移動溝を含み、前記移動溝の左端壁には吸水溝が設置され、前記移動溝の中にはネジ山ブロックがスライドできるように設置され、前記ネジ山ブロックの前端面の中にはネジ山ロッドがネジ山により係合され、前記ネジ山ロッドの中には三つの吸水ブロックが均一に植設され、前記移動溝の左端壁には三つの台形溝が設置され、前記ネジ山ブロックの左端面には圧力溝が設置され、前記圧力溝の右端壁には圧力ばねが固定的に設置され、前記圧力ばねの左端には左端が最後側の前記台形溝の中に位置している台形ブロックが固定的に設置され、前記ネジ山ブロックの右端面には右端が外部に位置しているＴ型ロッドが固定的に設置され、前記機能溝の右端壁には外部に連通している曲がり溝が設置され、前記Ｔ型ロッドが前記曲がり溝を貫通しており、前記曲がり溝の下端壁の中には三つの伸び出し溝が設置され、前記伸び出し溝の中には上端が前記曲がり溝の中に位置しているショートロッドがスライドできるように設置され、前記伸び出し溝の左端壁には伸び出しばねが固定的に設置され、前記伸び出しばねの右端には前記伸び出し溝とスライドできるように連結される斜面ブロックが固定的に設置され、また、前に前記Ｔ型ロッドを押すと、前記ロングラックを押して回転させることができ、前記ロングラックを斜めさせる。
【０００６】
有益的には、前記乾燥機構はまた前記茶葉ボックスの中に位置している保存溝を含み、前記保存溝の右端壁と前記吸水溝とが連通しており、前記保存溝の中にはフィルタが固定的に設置され、前記機能溝の後端壁の中には従動軸が回転できるように設置され、前記機能溝の後端壁と前記従動軸との間には回転ばねが設置され、前記機能溝の中において従動軸には方形ロッドと従動歯車とが固定的に設置され、前記方形ロッドの下端には仕切板が固定的に設置され、また、前記ロングラックが下がると前記従動歯車と噛合でき、仕切板を回転連動させる。
【０００７】
有益的には、前記開口機構はまた前記機能溝の後端壁と回転できるように連結される連動軸を含み、前記連動軸と前記機能溝の後端壁との間には弾性バネが設置され、前記機能溝の中において連動軸には力受けブロックと糸巻き輪が固定的に設置され、前記力受けブロックの上端面には閉じ板が固定的に設置され、前記糸巻き輪と前記リールとがロープにより連結され、また、前記リールが回転し、前記ロープにより前記糸巻き輪を回転連動させることができる。
【発明の効果】
【０００８】
本発明の有益的な効果は：本発明装置は構造が簡単であり、基本的な茶葉保存機能を満たすと同時に、自動的に茶葉の水分を吸い、茶葉が水分で変質することを避け、賞味期限を延ばし、また茶葉を入れるときに茶葉を選別でき、砕屑と埃とを除去し、茶葉の質を保証する。
【図面の簡単な説明】
【０００９】
下記に図１−１０をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の茶葉パッケージの全体全断面の正面構造略図
【図２】図２は本発明の茶葉パッケージの揺動ロッドの拡大構造略図
【図３】図３は本発明の茶葉パッケージのショートロッドの正面断面局部構造略図
【図４】図４は本発明の茶葉パッケージの曲がり溝の右面断面局部構造略図
【図５】図５は本発明の茶葉パッケージの移動溝の右面断面局部構造略図
【図６】図６は本発明の茶葉パッケージのネジ山ブロックの正面断面局部構造略図
【図７】図７は本発明の茶葉パッケージの台形ブロックの右面断面局部構造略図
【図８】図８は本発明の茶葉パッケージのネジ山ブロックの右面断面局部構造略図
【図９】図９は本発明の茶葉パッケージの従動軸の上面断面局部構造略図
【図１０】図１０は本発明の茶葉パッケージの連動軸の上面断面局部構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−１０を参照し、本発明の茶葉パッケージは、茶葉ボックス１０を含み、前記茶葉ボックス１０の右端面には機能ブロック２４が固定的に設置され、前記機能ブロック２４の中には機能溝１５が設置され、前記機能溝１５の中には開口機構６０と乾燥機構６１とが設置され、前記開口機構６０は前記茶葉ボックス１０の中に位置しており、かつ右端壁が前記機能溝１５と連通している磁性溝３２を含み、前記磁性溝３２の中の上下端壁には方形磁石２３が固定的に設置され、前記磁性溝３２の中には移動磁石３３がスライドできるように設置され、前記移動磁石３３の右端面には右端が前記機能溝１５の中に位置している縦ブロック３４が固定的に設置され、前記縦ブロック３４の右端には縦ロッド２２が固定的に設置され、前記縦ロッド２２の右端面には右端が外部に位置している調節ロッド１９が固定的に設置され、前記縦ロッド２２の左端面にはショートラック２０と支持ロッド３５とが固定的に設置され、前記機能溝１５の後端壁には回転軸１８が回転できるように設置され、前記回転軸１８にはリール１７と回転歯車２１とが固定的に設置され、前記回転歯車２１と前記ショートラック２０とが噛合し伝動され、前記支持ロッド３５の左端には揺動ロッド２５が回転できるように設置され、前記支持ロッド３５と前記揺動ロッド２５との間にはトーションばね３１が設置され、前記揺動ロッド２５の右端面にはロングラック４１が固定的に設置され、前記乾燥機構６１は前記磁性溝３２の下端壁の中に位置している移動溝２９を含み、前記移動溝２９の左端壁には吸水溝５１が設置され、前記移動溝２９の中にはネジ山ブロック４２がスライドできるように設置され、前記ネジ山ブロック４２の前端面の中にはネジ山ロッド５０がネジ山により係合され、前記ネジ山ロッド５０の中には三つの吸水ブロック４９が均一に植設され、前記移動溝２９の左端壁には三つの台形溝４６が設置され、前記ネジ山ブロック４２の左端面には圧力溝４７が設置され、前記圧力溝４７の右端壁には圧力ばね４８が固定的に設置され、前記圧力ばね４８の左端には左端が最後側の前記台形溝４６の中に位置している台形ブロック３０が固定的に設置され、前記ネジ山ブロック４２の右端面には右端が外部に位置しているＴ型ロッド３８が固定的に設置され、前記機能溝１５の右端壁には外部に連通している曲がり溝３６が設置され、前記Ｔ型ロッド３８が前記曲がり溝３６を貫通しており、前記曲がり溝３６の下端壁の中には三つの伸び出し溝４５が設置され、前記伸び出し溝４５の中には上端が前記曲がり溝３６の中に位置しているショートロッド３７がスライドできるように設置され、前記伸び出し溝４５の左端壁には伸び出しばね４４が固定的に設置され、前記伸び出しばね４４の右端には前記伸び出し溝４５とスライドできるように連結される斜面ブロック４３が固定的に設置され、また、前に前記Ｔ型ロッド３８を押すと、前記ロングラック４１を押して回転させることができ、前記ロングラック４１を斜めさせる。
【００１３】
有益的には、前記乾燥機構６１はまた前記茶葉ボックス１０の中に位置している保存溝５６を含み、前記保存溝５６の右端壁と前記吸水溝５１とが連通しており、前記保存溝５６の中にはフィルタ２８が固定的に設置され、前記機能溝１５の後端壁の中には従動軸３９が回転できるように設置され、前記機能溝１５の後端壁と前記従動軸３９との間には回転ばね５４が設置され、前記機能溝１５の中において従動軸３９には方形ロッド２６と従動歯車４０とが固定的に設置され、前記方形ロッド２６の下端には仕切板２７が固定的に設置され、また、前記ロングラック４１が下がると前記従動歯車４０と噛合でき、仕切板２７を回転連動させる。
【００１４】
有益的には、前記開口機構６０はまた前記機能溝１５の後端壁と回転できるように連結される連動軸１３を含み、前記連動軸１３と前記機能溝１５の後端壁との間には弾性バネ５５が設置され、前記機能溝１５の中において連動軸１３には力受けブロック１４と糸巻き輪１２が固定的に設置され、前記力受けブロック１４の上端面には閉じ板１１が固定的に設置され、前記糸巻き輪１２と前記リール１７とがロープ１６により連結され、また、前記リール１７が回転し、前記ロープ１６により前記糸巻き輪１２を回転連動させることができる。
【００１５】
下記に、図１−１０と上記記述した本出願の茶葉パッケージの具体的な構成を参考し、本出願の茶葉パッケージの使用方法を詳しく紹介する：
【００１６】
下に調節ロッド１９を押し、縦ロッド２２と移動磁石３３とを下に運動連動させ、移動磁石３３が下へ運動し、下側の方形磁石２３と吸引し合い、縦ロッド２２がショートラック２０とロングラック４１とを下へ運動連動させ、ショートラック２０と回転歯車２１との噛合により、リール１７を回転連動させ、ロープ１６を巻き、それにより糸巻き輪１２を反時計回りに回転連動させ、糸巻き輪１２が力受けブロック１４を回転連動させ、それにより閉じ板１１を回転連動させ、保存溝５６の上側開口が開けられ、同時に、ロングラック４１と従動歯車４０とが噛合し、仕切板２７を反時計回りに回転連動させ、保存溝５６の下側開口が開けられ、保存溝５６の上側開口の中に茶葉を入れ、茶葉砕屑と埃とがフィルタ２８により外部に落ち、入れた後に、上に調節ロッド１９を回し、保存溝５６を閉め、前にＴ型ロッド３８を回し、ロングラック４１を従動歯車４０との噛合位置から離脱するまで回転連動させ、その後に調節ロッド１９を回すと保存溝５６の上側開口しか開けないようにさせ、最前側の吸水ブロック４９が水分を吸い茶葉の乾燥を保証し、一定的な量を吸った後に、ネジ山ブロック４２を降下連動させ、それにより従動軸３９を降下連動させ、ショートロッド３７が下に押され、ショートロッド３７と斜面ブロック４３との係合により、斜面ブロック４３を連動させ外部まで右に運動させ、ユーザーに最前側の吸水ブロック４９が使えられないと注意し、Ｔ型ロッド３８を前に押し、二つ目の吸水ブロック４９に水分を吸わせ、三つの吸水ブロック４９が全て使えられなくなると、ネジ山ロッド５０をネジ山ブロック４２から回転し出せることができる。
【００１７】
本発明の有益的な効果は：本発明装置は構造が簡単であり、基本的な茶葉保存機能を満たすと同時に、自動的に茶葉の水分を吸い、茶葉が水分で変質することを避け、賞味期限を延ばし、また茶葉を入れるときに茶葉を選別でき、砕屑と埃とを除去し、茶葉の質を保証する。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175945.tif 000003
【図２】
2020175945.tif 000004
【図３】
2020175945.tif 000005
【図４】
2020175945.tif 000006
【図５】
2020175945.tif 000007
【図６】
2020175945.tif 000008
【図７】
2020175945.tif 000009
【図８】
2020175945.tif 000010
【図９】
2020175945.tif 000011
【図１０】
2020175945.tif 000012
【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
茶葉ボックスを含み、前記茶葉ボックスの右端面には機能ブロックが固定的に設置され、前記機能ブロックの中には機能溝が設置され、前記機能溝の中には開口機構と乾燥機構とが設置され、前記開口機構は前記茶葉ボックスの中に位置しており、かつ右端壁が前記機能溝と連通している磁性溝を含み、前記磁性溝の中の上下端壁には方形磁石が固定的に設置され、前記磁性溝の中には移動磁石がスライドできるように設置され、前記移動磁石の右端面には右端が前記機能溝の中に位置している縦ブロックが固定的に設置され、前記縦ブロックの右端には縦ロッドが固定的に設置され、前記縦ロッドの右端面には右端が外部に位置している調節ロッドが固定的に設置され、前記縦ロッドの左端面にはショートラックと支持ロッドとが固定的に設置され、前記機能溝の後端壁には回転軸が回転できるように設置され、前記回転軸にはリールと回転歯車とが固定的に設置され、前記回転歯車と前記ショートラックとが噛合し伝動され、前記支持ロッドの左端には揺動ロッドが回転できるように設置され、前記支持ロッドと前記揺動ロッドとの間にはトーションばねが設置され、前記揺動ロッドの右端面にはロングラックが固定的に設置され、前記乾燥機構は前記磁性溝の下端壁の中に位置している移動溝を含み、前記移動溝の左端壁には吸水溝が設置され、前記移動溝の中にはネジ山ブロックがスライドできるように設置され、前記ネジ山ブロックの前端面の中にはネジ山ロッドがネジ山により係合され、前記ネジ山ロッドの中には三つの吸水ブロックが均一に植設され、前記移動溝の左端壁には三つの台形溝が設置され、前記ネジ山ブロックの左端面には圧力溝が設置され、前記圧力溝の右端壁には圧力ばねが固定的に設置され、前記圧力ばねの左端には左端が最後側の前記台形溝の中に位置している台形ブロックが固定的に設置され、前記ネジ山ブロックの右端面には右端が外部に位置しているＴ型ロッドが固定的に設置され、前記機能溝の右端壁には外部に連通している曲がり溝が設置され、前記Ｔ型ロッドが前記曲がり溝を貫通しており、前記曲がり溝の下端壁の中には三つの伸び出し溝が設置され、前記伸び出し溝の中には上端が前記曲がり溝の中に位置しているショートロッドがスライドできるように設置され、前記伸び出し溝の左端壁には伸び出しばねが固定的に設置され、前記伸び出しばねの右端には前記伸び出し溝とスライドできるように連結される斜面ブロックが固定的に設置され、また、前に前記Ｔ型ロッドを押すと、前記ロングラックを押して回転させることができ、前記ロングラックを斜めさせ、
前記乾燥機構はまた前記茶葉ボックスの中に位置している保存溝を含み、前記保存溝の右端壁と前記吸水溝とが連通しており、前記保存溝の中にはフィルタが固定的に設置され、前記機能溝の後端壁の中には従動軸が回転できるように設置され、前記機能溝の後端壁と前記従動軸との間には回転ばねが設置され、前記機能溝の中において従動軸には方形ロッドと従動歯車とが固定的に設置され、前記方形ロッドの下端には仕切板が固定的に設置され、また、前記ロングラックが下がると前記従動歯車と噛合でき、仕切板を回転連動させ、
前記開口機構はまた前記機能溝の後端壁と回転できるように連結される連動軸を含み、前記連動軸と前記機能溝の後端壁との間には弾性バネが設置され、前記機能溝の中において連動軸には力受けブロックと糸巻き輪が固定的に設置され、前記力受けブロックの上端面には閉じ板が固定的に設置され、前記糸巻き輪と前記リールとがロープにより連結され、また、前記リールが回転し、前記ロープにより前記糸巻き輪を回転連動させることができ、
下に前記調節ロッドを押し、前記縦ロッドと前記移動磁石とを下に運動連動させ、前記移動磁石が下へ運動し、下側の前記方形磁石と吸引し合い、前記縦ロッドが前記ショートラックと前記ロングラックとを下へ運動連動させ、前記ショートラックと前記回転歯車との噛合により、前記リールを回転連動させ、前記ロープを巻き、それにより前記糸巻き輪を反時計回りに回転連動させ、前記糸巻き輪が前記力受けブロックを回転連動させ、それにより前記閉じ板を回転連動させ、前記保存溝の上側開口が開けられ、同時に、前記ロングラックと前記従動歯車とが噛合し前記、仕切板を反時計回りに回転連動させ、前記保存溝の下側開口が開けられ、前記保存溝の上側開口の中に茶葉を入れ、茶葉砕屑と埃とが前記フィルタにより外部に落ち、入れた後に、上に前記調節ロッドを回し、前記保存溝を閉め、前に前記Ｔ型ロッドを回し、前記ロングラックを前記従動歯車との噛合位置から離脱するまで回転連動させ、その後に前記調節ロッドを回すと前記保存溝の上側開口しか開けないようにさせ、最前側の前記吸水ブロックが水分を吸い茶葉の乾燥を保証し、一定的な量を吸った後に、前記ネジ山ブロックを降下連動させ、それにより前記従動軸を降下連動させ、前記ショートロッドが下に押され、前記ショートロッドと前記斜面ブロックとの係合により、前記斜面ブロックを連動させ外部まで右に運動させ、ユーザーに最前側の前記吸水ブロックが使えられないと注意し、前記Ｔ型ロッドを前に押し、二つ目の前記吸水ブロックに水分を吸わせ、三つの前記吸水ブロックが全て使えられなくなると、前記ネジ山ロッドを前記ネジ山ブロックから回転し出せることができることを特徴とする茶葉パッケージ。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
茶葉ボックスを含み、
前記茶葉ボックスの右端面には機能ブロックが固定的に設置され、
前記機能ブロックの中には機能溝が設置され、
前記機能溝の中には開口機構と乾燥機構とが設置され、
前記開口機構は前記茶葉ボックスの中に位置しており、
かつ右端壁が前記機能溝と連通している磁性溝を含み、
前記磁性溝の中の上下端壁には方形磁石が固定的に設置され、
前記磁性溝の中には移動磁石がスライドできるように設置され、
前記移動磁石の右端面には右端が前記機能溝の中に位置している縦ブロックが固定的に設置され、
前記縦ブロックの右端には縦ロッドが固定的に設置され、
前記縦ロッドの右端面には右端が外部に位置している調節ロッドが固定的に設置され、
前記縦ロッドの左端面にはショートラックと支持ロッドとが固定的に設置され  、
前記機能溝の後端壁には回転軸が回転できるように設置され、
前記回転軸にはリールと回転歯車とが固定的に設置され、
前記回転歯車と前記ショートラックとが噛合し伝動され、
前記支持ロッドの左端には揺動ロッドが回転できるように設置され、
前記支持ロッドと前記揺動ロッドとの間にはトーションばねが設置され、
前記揺動ロッドの右端面にはロングラックが固定的に設置され、
前記乾燥機構は前記磁性溝の下端壁の中に位置している移動溝を含み、
前記移動溝の左端壁には吸水溝が設置され、
前記移動溝の中にはネジ山ブロックがスライドできるように設置され、
前記ネジ山ブロックの前端面の中にはネジ山ロッドがネジ山により係合され、
前記ネジ山ロッドの中には三つの吸水ブロックが均一に植設され、
前記ネジ山ブロックの右端面には右端が外部に位置しているＴ型ロッドが固定的に設置され、
前記機能溝の右端壁には外部に連通している曲がり溝が設置され、
前記Ｔ型ロッドが前記曲がり溝を貫通しており、
前記曲がり溝の下端壁の中には三つの伸び出し溝が設置され、
前記伸び出し溝の中には上端が前記曲がり溝の中に位置しているショートロッドがスライドできるように設置され、
前記伸び出し溝の左端壁には伸び出しばねが固定的に設置され、
前記伸び出しばねの右端には前記伸び出し溝とスライドできるように連結される斜面ブロックが固定的に設置され、
また、前に前記Ｔ型ロッドを押すと、
前記ロングラックを押して回転させることができ、
前記ロングラックを斜めさせ、
前記乾燥機構はまた前記茶葉ボックスの中に位置している保存溝を含み、
前記保存溝の右端壁と前記吸水溝とが連通しており、
前記保存溝の中にはフィルタが固定的に設置され、
前記機能溝の後端壁の中には従動軸が回転できるように設置され、
前記機能溝の後端壁と前記従動軸との間には回転ばねが設置され、
前記機能溝の中において従動軸には方形ロッドと従動歯車とが固定的に設置され、
前記方形ロッドの下端には仕切板が固定的に設置され、
また、前記ロングラックが下がると前記従動歯車と噛合でき、仕切板を回転連動させ、
前記開口機構はまた前記機能溝の後端壁と回転できるように連結される連動軸を含み、
前記連動軸と前記機能溝の後端壁との間には弾性バネが設置され、
前記機能溝の中において連動軸には力受けブロックと糸巻き輪が固定的に設置され、
前記力受けブロックの上端面には閉じ板が固定的に設置され、
前記糸巻き輪と前記リールとがロープにより連結され、
また、前記リールが回転し、前記ロープにより前記糸巻き輪を回転連動させることができる、ことを特徴とする茶葉パッケージ。